(57)【要約】【課題】蓄積コンテンツ再生時に放送事業者が表示させたいタイミングおよび期間のみリアルタイムな最新情報を蓄積コンテンツ再生映像と同時に表示させることができるデジタル放送受信装置を提供する。【解決手段】蓄積コンテンツ再生表示機能を有するデジタル放送受信装置１００であって、コンテンツが蓄積されている蓄積処理部１１１と、コンテンツを再生する蓄積コンテンツ再生部１１３と、コンテンツと同時表示させる情報とを同時表示を開始するタイミングを知らせるトリガーを含むデータを受信するデジタル放送受信処理部１１１と、データからトリガーを分離するデータ分離処理部１１２と、トリガーに基づいて前記再生しているコンテンツと前記同時表示させる情報とを多重処理し、前記同時表示を行う映像多重処理部１１５とを有する構成とした。【選択図】図１
2006311120.tif 000002
【特許請求の範囲】
【請求項１】
蓄積コンテンツ再生表示機能を有するデジタル放送受信装置であって、
コンテンツが蓄積されている蓄積処理部と、
前記コンテンツを再生する蓄積コンテンツ再生部と、
前記コンテンツと同時表示させる情報とを前記同時表示を開始するタイミングを知らせるトリガーを含むデータを受信するデジタル放送受信処理部と、
前記データから前記トリガーを分離するデータ分離処理部と、
前記トリガーに基づいて前記再生しているコンテンツと前記同時表示させる情報とを多重処理し、前記同時表示を行う映像多重処理部と
を有するデジタル放送受信装置。
【請求項２】
請求項１に記載のデジタル放送受信装置であって、
前記デジタル放送受信処理部は、前記同時表示させる情報を受信した後に前記トリガーを受信し、
前記映像多重処理部は、前記トリガー受信に基づいて前記多重処理および前記同時表示を行うデジタル放送受信装置。
【請求項３】
請求項１または２に記載のデジタル放送受信装置であって、
前記蓄積処理部は、蓄積された１つ以上の蓄積データから、あらかじめ指定した前記蓄積データを含む蓄積情報の更新状態を監視する更新監視処理部を有し、
前記映像多重処理部は、前記更新のタイミングを監視情報更新トリガーとして前記多重処理および前記同時表示を行うデジタル放送受信装置。
【請求項４】
請求項１から３のいずれかに記載のデジタル放送受信装置であって、
前記映像多重処理部は、前記同時表示させる情報を字幕スーパーとして前記多重処理を行い、前記同時表示を行う、または画面上に前記同時表示させる情報が存在することを視聴者に伝え視聴者操作によって前記同時表示を行うデジタル放送受信装置。
【請求項５】
請求項１から３のいずれかに記載のデジタル放送受信装置であって、
前記映像多重処理部は、前記同時表示させる情報を映像として前記多重処理を行い、前記同時表示を行う、または画面上に前記同時表示させる情報が存在することを視聴者に伝え視聴者操作によって前記同時表示を行うデジタル放送受信装置。
【請求項６】
請求項５に記載のデジタル放送受信装置であって、
前記蓄積コンテンツ再生部は、前記同時表示させる情報の表示開始時に前記再生しているコンテンツの再生を停止して停止位置を記録し、前記同時表示させる情報の表示終了後に再生指示に従って前記停止位置から再生する再生位置保持処理部を有するデジタル放送受信装置。
【発明の詳細な説明】
【技術分野】
【０００１】
本発明は、蓄積コンテンツ再生表示機能を有するデジタル放送受信装置に関する。
【背景技術】
【０００２】
図２０に示すように、従来のデジタル放送受信装置１１００は、デジタル放送受信処理部１１１０、蓄積コンテンツ再生処理部１１１１、蓄積処理部１１１２、映像多重処理部１１１３で構成されており、デジタル放送受信処理部１１１０および蓄積コンテンツ再生処理部１１１１の映像を映像多重処理部１１１３にてピクチャーインピクチャー処理を行い、画面表示装置１１２０にて第１画面１１２１および第２画面１１２２に別々の画面として表示している（特許文献１参照）。
【特許文献１】特開２００３−８４７５０号公報
【発明の開示】
【発明が解決しようとする課題】
【０００３】
しかしながら、従来のデジタル放送受信装置においては、最新情報などを表示するためには、あらかじめ表示する第２画面のエリアを用意しなければならないために不必要な場合にも常に第２画面を用意する必要があり、さらに、現在再生している蓄積コンテンツを一旦停止しなければならないという事情があった。
【０００４】
本発明は、従来の事情を鑑みてなされたものであって、蓄積コンテンツ再生時に、放送事業者が表示させたいタイミングで放送事業者が表示させたい情報を、蓄積コンテンツ再生映像と同時に表示させることができるデジタル放送受信装置を提供することを目的とする。
【課題を解決するための手段】
【０００５】
上記目的を達成するために、本発明の第１のデジタル放送受信装置は、蓄積コンテンツ再生表示機能を有するデジタル放送受信装置であって、コンテンツが蓄積されている蓄積処理部と、前記コンテンツを再生する蓄積コンテンツ再生部と、前記コンテンツと同時表示させる情報とを前記同時表示を開始するタイミングを知らせるトリガーを含むデータを受信するデジタル放送受信処理部と、前記データから前記トリガーを分離するデータ分離処理部と、前記トリガーに基づいて前記再生しているコンテンツと前記同時表示させる情報とを多重処理し、前記同時表示を行う映像多重処理部とを有する構成としている。
【０００６】
この構成により、蓄積コンテンツ再生中に、放送事業者が表示させたいタイミングで、放送事業者が表示させたい情報を蓄積コンテンツ再生映像と同時に表示させることができる。
【０００７】
また、本発明の第２のデジタル放送受信装置は、前記デジタル放送受信処理部が、前記同時表示させる情報を受信した後に前記トリガーを受信し、前記映像多重処理部が、前記トリガー受信に基づいて前記多重処理および前記同時表示を行う構成としている。
【０００８】
この構成により、蓄積コンテンツ再生中に、放送事業者が表示させたいタイミングで、放送事業者が表示させたい情報を蓄積コンテンツ再生映像と同時に表示させることができる。
【０００９】
また、本発明の第３のデジタル放送受信装置は、前記蓄積処理部が、蓄積された１つ以上の蓄積データから、あらかじめ指定した前期蓄積データを含む蓄積情報の更新状態を監視する更新監視処理部を有し、前記映像多重処理部は、前記更新のタイミングを監視情報更新トリガーとして前記多重処理および前記同時表示を行う構成としている。
【００１０】
この構成により、指定された監視対象のファイルが更新されたタイミングで、蓄積コンテンツ再生映像に放送事業者が表示させたい情報を付加した映像に切替えることができる。
【００１１】
また、本発明の第４のデジタル放送受信装置は、前記映像多重処理部が、前記同時表示させる情報を字幕スーパーとして前記多重処理を行い、前記同時表示を行う、または画面上に前記同時表示させる情報が存在することを視聴者に伝え視聴者操作によって前記同時表示を行う構成としている。
【００１２】
この構成により、蓄積コンテンツ再生時にも放送事業者が表示させたい字幕スーパーを表示した画面に切替えることができる。さらに、蓄積コンテンツ再生映像中の字幕と字幕スーパーとを混同するような場合は、同時表示を行わないこともできる。
【００１３】
また、本発明の第５のデジタル放送受信装置は、前記映像多重処理部が、前記同時表示させる情報を映像として前記多重処理を行い、前記同時表示を行う、または画面上に前記同時表示させる情報が存在することを視聴者に伝え視聴者操作によって前記同時表示を行う構成としている。
【００１４】
この構成により、蓄積コンテンツ再生時にも放送事業者が表示させたい映像を表示した画面に切替えることができる。さらに、視聴者が放送事業者の表示させたい情報を閲覧したくない場合は、同時表示を行わないこともできる。
【００１５】
また、本発明の第６のデジタル放送受信装置は、前記蓄積コンテンツ再生部が、前記同時表示させる情報の表示開始時に前記再生しているコンテンツの再生を停止して停止位置を記録し、前記同時表示させる情報の表示終了後に再生指示に従って前記停止位置から再生する再生位置保持処理部を有する構成としている。
【００１６】
この構成により、蓄積コンテンツ再生時に蓄積コンテンツと放送事業者が表示させたい情報とを重畳させた画面に画面切替を行う場合、蓄積コンテンツを再生停止しても停止した位置から蓄積コンテンツの再生を再開できる。
【発明の効果】
【００１７】
本発明は、蓄積コンテンツ再生中に、放送事業者が表示させたいタイミングで放送事業者が表示させたい情報を、蓄積コンテンツ再生映像と同時に表示させることができるデジタル放送受信装置を提供することができるものである。録画機器や映像再生装置などで蓄積されたコンテンツを再生する場合や、将来実施予定のサーバ型放送で蓄積したコンテンツを再生する場合など、過去の情報を閲覧するときリアルタイム情報と融合させ、放送事業者が見せたいタイミングおよび期間のみ蓄積コンテンツ再生映像と最新情報を同時に表示するサービスを提供することができる。
【発明を実施するための最良の形態】
【００１８】
以下、本発明の実施形態のデジタル放送受信装置について、図面を用いて説明する。
（第１の実施形態）
【００１９】
本発明の第１の実施形態におけるデジタル放送受信装置について説明する。
図１は本発明の第１の実施形態におけるデジタル放送受信装置１００のブロック図である。デジタル放送受信装置１００は、デジタル放送受信処理部１１１、データ分離処理部１１２、蓄積コンテンツ再生処理部１１３、蓄積処理部１１４および映像多重処理部１１５を具備した構成である。また、画面表示装置１２０はデジタル放送受信装置１００で生成された映像を表示する装置である。
【００２０】
デジタル放送受信処理部１１１は放送波および通信で受信した受信データから映像信号や情報データを取得する。デジタル放送受信装置１００は、デジタル放送受信処理部１１１、データ分離処理部１１２および蓄積コンテンツ再生処理部１１３を並列処理させることが可能であり、蓄積処理部１１４に蓄積されている蓄積コンテンツを、蓄積コンテンツ再生処理部１１３にて再生しているときに、放送局側が最新情報を表示するタイミングに最新情報を重畳し送信したデータをデジタル放送受信処理部１１１で受信すると、データ分離部１１２で受信データから取得した最新情報を含む画面表示トリガー情報を取得したタイミングで、映像多重処理部１１５にて最新情報を同時に表示させる多重処理を行い、再生中の蓄積コンテンツ映像に最新情報を多重した画面と切替を行う機能を備えている。また、図１のデジタル放送受信装置１００の機能ブロックのうち一部を別装置とし、前記別装置とデジタル放送受信装置１００と連携させる場合も同様の動作が可能である。また、画面表示トリガー情報は、放送局の送信データに重畳されており、画面表示に必要な最新情報が記述されている。
【００２１】
以上のように構成されたデジタル放送受信装置１００について、図２から５を用いてその動作画面例を４種類説明する。
【００２２】
図２は第１の画面表示例である。
通常画面２００は蓄積コンテンツ再生映像のみを表示しているときである。最新情報を含む画面表示トリガー情報を受信した際、第１の最新情報画面例２０１、第２の最新情報画面例２０２または第３の最新情報画面例２０３の何れかの画面へ画面切替を行う。第１の最新情報画面例２０１は蓄積コンテンツ再生映像の一部に最新情報を表示する例、第２の最新情報画面例２０２は蓄積コンテンツ再生映像を縮小し最新情報をメインとして表示する例、第３の最新情報画面例２０３は蓄積コンテンツ再生映像を表示せず最新情報のみを表示する例である。画面表示トリガーに指定されている時間を経過した場合、または最新情報を非表示にするトリガーを受信したタイミングでもとの通常画面２００へ画面切替を行う。
【００２３】
図３は第２の画面表示例である。
通常画面２１０は第１の画面表示例の通常画面２００と同様に蓄積コンテンツ再生映像のみを表示しているときである。最新情報を含む画面表示トリガー情報を受信した際、注意喚起画面２１１へ画面切替を行う。この画面は画面表示トリガー情報に記述されている情報をもとに最新情報画面へ画面切替する前に注意喚起する画面である。画面表示トリガー情報に記述された特定時間が経過した後、第１の最新情報画面例２１２、第２の最新情報画面例２１３または第３の最新情報画面例２１４の何れかの画面へ自動で画面切替を行う。最新情報画面例２１２、２１３および２１４は第１の画面表示例の最新情報画面例２０１、２０２および２０３と同様である。最新情報表示完了後または一定時間経過後または最新情報を非表示にするトリガーを受信したタイミングでもとの通常画面２１０へ画面切替を行う。
【００２４】
図４は第３の画面表示例である。
通常画面２２０は第１の画面表示例の通常画面２００と同様に蓄積コンテンツ再生映像のみを表示しているときである。最新情報を含む画面表示トリガー情報を受信した際、注意喚起画面２２１へ画面切替を行う。この画面は画面表示トリガー情報に記述されている情報をもとに最新情報があることを視聴者に注意喚起する画面である。注意喚起画面は特定時間経過後または最新情報を非表示にするトリガーを受信したタイミングでもとの通常画面２２０へ画面切替を行う。この最新情報が閲覧可能な期間に視聴者操作で第１の最新情報画面例２２２、第２の最新情報画面例２２３または第３の最新情報画面例２２４の何れかの画面へ画面切替を行う。最新情報画面例２２２、２２３および２２４は第１の画面表示例の最新情報画面例２０１、２０２および２０３と同様である。最新情報表示完了後または一定時間経過後または最新情報を非表示にするトリガーを受信したタイミングまたは視聴者操作でもとの通常画面２２０へ画面切替を行う。
【００２５】
図５は第４の画面表示例である。
通常画面２３０は第１の画面表示例の通常画面２００と同様に蓄積コンテンツ再生映像のみを表示しているときである。最新情報を含む画面表示トリガー情報を受信した際、注意喚起画面２３１へ画面切替を行う。この注意喚起画面２３１への画面切替の説明は第３の画面表示例と同様である。最新情報が閲覧可能な期間に視聴者操作で第１の最新情報画面例２３２、第２の最新情報画面例２３３または第３の最新情報画面例２３４の何れかの画面へ画面切替を行う。最新情報画面例２３２、２３３および２３４は第１の画面表示例の最新情報画面例２０１、２０２および２０３と同様である。最新情報表示完了後または一定時間経過後または視聴者操作でもとの通常画面２３０へ画面切替を行う。最新情報閲覧が可能な期間は何度でも第１の最新情報画面例２３２から第３の最新情報画面例２３４への画面切替が可能である。
【００２６】
第１から第４の画面表示例において、第１の最新情報画面例の最新情報表示の表示位置やサイズは自由であり画面例とは異なるレイアウトも可能である。第２の最新情報画面例の縮小した蓄積コンテンツ表示部（コンテンツ再生映像）についても同様に最新情報表示の表示位置やサイズは自由であり画面例とは異なるレイアウトも可能である。最新情報は画面表示トリガー情報に記述されている情報を利用することで表示させることが可能である。
（第２の実施形態）
【００２７】
次に、本発明の第２の実施形態におけるデジタル放送受信装置について説明する。
図６は本発明の第２の実施形態におけるデジタル放送受信装置３００のブロック図である。デジタル放送受信装置３００は、デジタル放送受信処理部３１１、データ分離処理部３１２、蓄積コンテンツ再生処理部３１３、リアルタイム蓄積処理部３１４および非リアルタイム蓄積処理部３１５を含みデジタル放送で受信した内容を蓄積する蓄積処理部３１６、受信機アプリケーション処理部３１７を含み受信データから映像合成する映像多重処理部３１８、最新情報を重畳した蓄積コンテンツ再生画面と通常の蓄積コンテンツ再生画面の切替を行う画面切替処理部３１９を具備した構成である。また、図６はデジタル放送受信装置３００の機能ブロックのうち一部を別装置とし、その別装置とデジタル放送受信装置３００とを連携させる場合も同様の動作が可能である。また、画面表示装置３２０はデジタル放送受信装置３００で生成された映像を表示する装置である。
【００２８】
デジタル放送受信処理部３１１は放送波および通信で取得した受信データから映像信号や情報データを取得する。蓄積処理部３１６は視聴者予約などによりデジタル放送受信処理部３１１で取得した映像信号や情報データをリアルタイム蓄積処理部３１４および非リアルタイム蓄積処理部３１５へ蓄積する。蓄積コンテンツ再生処理部３１３は非リアルタイム蓄積処理部３１５で蓄積された映像信号の再生処理を行い、最新情報はリアルタイム蓄積処理部３１４に蓄積し取得する。リアルタイム蓄積処理部３１４は頻繁に更新するデータ、非リアルタイム蓄積処理部３１５はあまり頻繁に更新されることが無いデータを蓄積する。
【００２９】
映像多重処理部３１８は受信機アプリケーション処理部３１７を通じてデジタル放送受信処理部３１１、データ分離処理部３１２および蓄積コンテンツ再生処理部３１３とを制御することが可能であり、各機能ブロックを制御するＡＰＩ（Application Program Interface）を備え、データ分離処理部３１２で分離した情報データ（情報ファイル５１９やトリガー情報５４０（図１２参照））の情報をもとに、ＡＰＩ制御により受信したトリガータイミングに基づいて蓄積コンテンツ再生処理部３１３で再生処理している蓄積コンテンツ映像と最新情報を同時に表示させる多重処理を行い、画面切替処理部３１９で蓄積コンテンツ再生映像のみの画面と蓄積コンテンツ再生映像に最新情報を多重した画面との画面切替を行う機能を備えている。
【００３０】
また、受信機アプリケーション処理部３１７は、デジタル放送受信処理部３１１で受信した受信データに重畳されている情報のうち、例えばデータ放送で使用されているＢＭＬ（Broadcast Markup Language）などのスクリプト記述に従ってＡＰＩ制御を行うブラウザ機能により、前述と同様、蓄積コンテンツ再生映像のみの画面と蓄積コンテンツ再生映像に最新情報を多重した画面との画面切替を行う機能も併せて備えている。
【００３１】
以上のように構成されたデジタル放送受信装置３００について、図７から１２を用いてその動作を説明する。
【００３２】
蓄積コンテンツを再生する場合、受信機アプリケーション処理部３１７から視聴者に起動画面を提示しそこから視聴者操作で蓄積コンテンツを再生させるため、受信機アプリケーション処理部３１７で読み込むための起動情報ファイル５２０（図１２参照）が必要になるが、起動情報ファイル５２０を（１）蓄積処理部３１６から取得する場合と（２）データ分離処理部３１２から取得する場合の２通りについて説明する。
【００３３】
まず、コンテンツを蓄積予約して蓄積させるときの放送局側とデジタル放送受信装置側の運用について図７および８を用いて説明する。
【００３４】
図７は本発明の第２の実施形態における起動情報ファイル５２０をデジタル放送受信装置３００へ蓄積する場合のデジタル放送受信装置３００の動作フロー図である。（１）蓄積処理部３１６から起動情報ファイル５２０を取得する場合、放送局側は図７（ａ）において「起動情報ファイル送出」ステップＳ４０１により、起動画面に必要な情報である起動情報ファイル５２０を送出する。その後、「蓄積用コンテンツ送出」ステップＳ４０２により、蓄積用コンテンツを１つまたは複数送出する。起動情報ファイル５２０は、蓄積用コンテンツ再生に必要になるため、その前にデジタル放送受信装置３００に蓄積されるように定期的に送出しておく必要がある。
【００３５】
デジタル放送受信装置３００側は図７（ｂ）に示すように、「蓄積予約」ステップＳ４１１により「予約コンテンツを蓄積処理部に蓄積」ステップＳ４１３でデジタル放送受信装置３００は蓄積を行う。「起動情報ファイルを蓄積処理部に蓄積」ステップＳ４１２では、蓄積コンテンツが蓄積され再生されるまでに起動情報ファイル５２０を蓄積しておく必要がある。「予約コンテンツを蓄積処理部に蓄積」ステップＳ４１３は、デジタル放送受信処理部３１１で受信した受信データに重畳されている情報の蓄積ファイルパスリスト情報５００（図１２参照）を取得し、受信データを蓄積処理部３１６にある非リアルタイム蓄積処理部３１５の指定された蓄積パス名５０２に蓄積を行う。
【００３６】
蓄積ファイルパスリスト情報５００は、例えばARIB-STD-B24で規定されているDII（DownloadInfoIndication）のStoreRoot記述子、SubDirectory記述子、Name記述子等に記述しカルーセル方式で伝送することで実施可能である。同時にデジタル放送受信処理部３１１で受信した受信データに重畳されている情報の蓄積コンテンツ情報５５０（図１２参照）を取得し、デジタル放送受信装置３００で管理されている蓄積コンテンツ管理情報５１０（図１２参照）のデータとして保存される。
【００３７】
また、図８は本発明の第２の実施形態における起動情報ファイル５２０をデジタル放送受信装置３００へ蓄積しない場合のコンテンツ蓄積時のデジタル放送受信装置３００の動作フロー図である。（２）データ分離処理部３１２から起動情報ファイル５２０を取得する場合、起動情報ファイル５２０を蓄積する必要が無いため、放送局側は、図８（ａ）において「蓄積用コンテンツ送出」ステップＳ４２１のみとなっている。また、デジタル放送受信装置側の処理の図８（ｂ）においても「蓄積予約」ステップＳ４３１および「予約コンテンツを蓄積処理部に蓄積」ステップＳ４３２のみとなっている。各処理ブロックの処理内容は（１）蓄積処理部３１６から起動情報ファイル５２０を取得する場合と同様である。
【００３８】
次に、コンテンツ蓄積後にコンテンツを再生する場合の放送局側とデジタル放送受信装置側の運用について図９から１２を用いて説明する。
【００３９】
まず、図１２は第２の実施形態にデジタル受信装置３００で使用するデータ構成である。
蓄積ファイルパスリスト情報５００は、「ファイル名」５０１および「蓄積パス名」５０２を含む内容となっている。また、蓄積コンテンツ管理情報５１０は、「コンテンツＩＤ」５１１、「コンテンツ情報」５１２および「蓄積パス名」５１３を含む内容となっている。
【００４０】
また、情報ファイル５１９は起動情報ファイル５２０および制御情報ファイル５３０を含む内容となっている。さらに起動情報ファイル５２０は、「リアルタイム情報受信チャンネル指定スクリプト」５２１、「監視するトリガー番号指定スクリプト」５２２、「受信機の蓄積コンテンツ管理情報読込みスクリプト」５２３、「受信機の蓄積コンテンツ管理情報一覧表示スクリプト」５２４、「視聴者が選択した蓄積コンテンツの再生スクリプト」５２５、「表示動作スクリプト」５２６、「非表示動作スクリプト」５２７および「画面切替スクリプト」５２８を含む内容となっており、制御情報ファイル５３０は、「制御方法」５３１、「文字・画像の表示位置（始点・終点座標）」５３２、「表示する文字情報または文字情報ファイルパス」５３３、「表示する画像・映像ファイルパス」５３４および「音声ファイルパス」５３５を含む内容となっている。
【００４１】
また、トリガー情報５４０は、「トリガーＩＤ」５４１および「制御情報ファイル蓄積パス」５４２を含む内容となっている。また、蓄積コンテンツ情報５５０は、「コンテンツＩＤ５５１」、「コンテンツ情報（コンテンツ名など）」５５２および「蓄積パス名」５５３を含む内容となっている。
【００４２】
次に、図９は本発明の第２の実施形態における起動情報ファイル５２０をデジタル放送受信装置３００に蓄積した場合のコンテンツ蓄積後のデジタル放送受信装置３００の動作フロー図である。（１）蓄積処理部３１６から起動情報ファイル５２０を取得する場合、放送局側は図９（ａ）において「最新情報送出処理」ステップＳ４４１により制御情報ファイル５３０や制御情報ファイル５３０を使用して画面表示するために必要な最新情報ファイルや表示トリガー、非表示トリガーを送出する。
【００４３】
また、図１１は本発明の第２の実施形態における最新情報の送受信に関するデジタル放送受信装置３００の動作フロー図である。「最新情報送出処理」ステップＳ４４１の処理内容は図１１（ａ）の放送局側の処理の通りであり、「表示トリガー送出前に最新情報送出」ステップＳ４８１で、最新情報ファイル（制御情報ファイル５３０や制御情報ファイル５３０を使用して画面表示するために必要な文字情報ファイル、画像ファイル、映像ファイル、音声ファイルなど）を送出する。「最新情報表示タイミングで表示トリガー送出」ステップＳ４８２では、放送局が最新情報を表示したいタイミングで投げるトリガーを送出し、最新情報が複数ある場合はその回数分ステップＳ４８１とステップＳ４８２との処理を繰り返す。「最新情報非表示タイミングで非表示トリガー送出」ステップＳ４８３では、放送局が最新情報表示を終了させたいタイミングで投げるトリガーを送出する。
【００４４】
デジタル放送受信装置側は図９（ｂ）において、「蓄積処理部の起動情報ファイルより受信機アプリケーション起動」ステップＳ４６１で既に蓄積処理部３１６に蓄積されている起動情報ファイル５２０を使い、受信機アプリケーション３１７にて起動画面を視聴者に提示する。「蓄積処理部の制御情報ファイルより受信チャンネル選局」ステップＳ４６２では「リアルタイム情報受信チャンネル指定スクリプト」５２１でＡＰＩ制御により最新情報を取得するためのチャンネル選局をする。「蓄積処理部の制御情報ファイルより受信チャンネル中の指定トリガー情報の監視を開始」ステップＳ４６３では、「監視するトリガー番号指定スクリプト」５２２でＡＰＩ制御によりスクリプトで指定されたＭＰＥＧ−ＴＳの特定のＥＳに流れてくるトリガー情報５４０のトリガーＩＤ５４１を監視し該当するトリガーを取得する。
【００４５】
「受信機アプリケーションで蓄積コンテンツ一覧表示」ステップＳ４６４では、「受信機の蓄積コンテンツ管理情報読込みスクリプト」５２３で蓄積コンテンツ情報５５０から蓄積コンテンツ一覧を取得し、「受信機の蓄積コンテンツ管理情報一覧表示スクリプト」５２４で取得した蓄積コンテンツ一覧を視聴者に提示する。「視聴者が蓄積コンテンツを選択し受信機アプリケーションで再生指示」ステップＳ４６５では視聴者が蓄積コンテンツ一覧からコンテンツを選択したとき「視聴者が選択した蓄積コンテンツの再生スクリプト」５２５で蓄積コンテンツ情報５５０の蓄積パス名５５３にある蓄積コンテンツを再生させる。「最新情報受信処理」ステップＳ４６６の処理内容は図１１（ｂ）に記述されている。
【００４６】
図１１（ｂ）において、「最新情報受信」ステップＳ４９１では、最新情報ファイル（制御情報ファイル５３０や制御情報５３０ファイルを使用して画面表示するために必要な文字情報ファイル、画像ファイル、映像ファイル、音声ファイルなど）を取得し、同時に受信した蓄積ファイルパスリスト情報５００に記述されたファイルパスに基づき、リアルタイム蓄積処理部３１４に蓄積する。「表示トリガー受信」ステップＳ４９２では、起動情報ファイル５２０の「監視するトリガー番号指定スクリプト」５２２にてＡＰＩ制御により表示トリガーに指定されているトリガーＩＤ５４１のトリガー情報５４０が取得される。
【００４７】
「最新情報を蓄積再生コンテンツ画面上に表示」ステップＳ４９３では、トリガー情報５４０が取得されたときに「表示動作スクリプト」５２６でＡＰＩ制御により、トリガー情報５４０に記載されている制御情報ファイルパス５４２を読込み、制御情報ファイル５３０のファイルパス５３３から５３５に記述されたデータを利用して、蓄積コンテンツ再生画面に最新情報を付加した映像を作成し、起動情報ファイル５２０に記載されている「画面切替スクリプト」５２８で画面切替処理部３１９を制御して画面切替する。最新情報の表示は、制御方法５３１や「文字・画像の表示位置（始点・終点座標）」５３２を使い、図２から５に記載されている第１から第４の画面表示例のような画面表示制御を行う。
【００４８】
「非表示トリガー受信」ステップＳ４９４では、同様にＡＰＩ制御により非表示トリガーに指定されているトリガーＩＤ５４１のトリガーを受信したときに、「最新情報を蓄積再生コンテンツ画面上から消去」ステップＳ４９５で起動情報ファイル５２０の「非表示動作スクリプト」５２７により、もとの最新情報を表示していない蓄積コンテンツ再生映像に画面切替を行う。
【００４９】
トリガー情報５４０は、例えばARIB-STD-B24で規定さている汎用イベントメッセージを使用することによりトリガーＩＤ５４１をevent_msg_id、制御情報蓄積パス５４２をprivate_data_byteに記述することで実施可能である。汎用イベントメッセージのようにプッシュ型の情報取得にすれば最新情報の即時性を確保できる。
【００５０】
また、図１０は本発明の第２の実施形態における起動情報ファイル５２０をデジタル字放送受信装置３００に蓄積しなかった場合のコンテンツ蓄積後のデジタル放送受信装置３００の動作フロー図である。（２）データ分離処理部３１２から起動情報ファイル５２０を取得する場合、デジタル放送受信装置３００は起動情報ファイル５２０を蓄積していないため、起動情報ファイル５２０はリアルタイム放送から取得する。放送局側は図１０（ａ）において、「起動情報ファイル送出」ステップＳ４５１で起動情報ファイル５２０を送出してから、「最新情報送出処理」ステップＳ４５２で「最新情報送出処理」ステップＳ４４１と同様の処理を行うことで実施可能である。
【００５１】
ここまでは、表示トリガーおよび非表示トリガーを２つ使用する方法について説明したが、別の方法として、表示トリガーまたは制御情報ファイル５３０に表示時間の記述を追加し、指定された表示時間だけデジタル放送受信装置３００が最新情報を表示する方法でも実現可能である。また、制御情報ファイル５３０の内容を表示トリガーの情報の一部として記述し、デジタル放送受信装置３００は表示トリガーの記述内容に従って制御情報ファイル５３０を使った制御方法で制御すれば、トリガー情報５４０のみでも実現可能である。
【００５２】
デジタル放送受信装置側は図１０（ｂ）のようになっており、「受信チャンネルの起動情報ファイルより受信機アプリケーション起動」ステップＳ４７１では視聴者が現在受信しているチャンネルからデータ分離処理部３１２で取得した起動情報ファイル５２０を利用し受信機アプリケーション処理部３１７で起動画面を視聴者に提示する。起動情報ファイル５２０の内容のうち「リアルタイム情報受信チャンネル指定スクリプト」５２１は既に選局されているため不要であるが、その他の起動情報ファイル５２０のスクリプト５２２から５２８は必要である。
【００５３】
「受信チャンネルの制御情報ファイルより受信チャンネル中の指定トリガー情報の監視を開始」ステップＳ４７２では、「監視するトリガー番号指定スクリプト」５２２でＡＰＩ制御によりスクリプトで指定されたＭＰＥＧ−ＴＳの特定のＥＳに流れてくるトリガー情報５４０のトリガーＩＤ５４１を監視し該当するトリガーを取得する。以降ステップＳ４７３からステップＳ４７５の処理については、ステップＳ４６４からステップＳ４６６の同名の処理ブロックと同様に処理される。
【００５４】
このような本発明の第２の実施形態のデジタル放送受信装置３００によれば、デジタル放送受信処理部３１１、データ分離処理部３１２および蓄積コンテンツ再生処理部３１３を並列処理させ、データ分離処理部３１２から取得した情報ファイル５１９やトリガー情報５４０を取得する機能と、情報ファイル５１９やトリガー情報５４０により各機能ブロックを制御するＡＰＩ機能と、ＡＰＩ制御により画面切替を行う画面切替処理部３１９とを設けることにより、蓄積コンテンツ再生時に最新情報をリアルタイムに取得し、蓄積コンテンツ再生映像に最新情報を付加した映像に画面切替することで、放送局が見せたいタイミングおよび期間に最新情報を視聴者に提示することができる。
（第３の実施形態）
【００５５】
次に、本発明の第３の実施形態のデジタル放送受信装置について説明する。
図１３は本発明の第３の実施形態におけるデジタル放送受信装置６００のブロック図である。デジタル放送受信装置６００は図６の第２の実施形態のデジタル放送受信装置３００に蓄積更新監視処理部６２０が加わった構成となっており、その他の機能はデジタル受信装置３００から画面切替処理部３１９の同名の機能ブロックと同じである。また、画面表示装置６３０は画面表示装置３２０と同じである。
【００５６】
蓄積更新監視処理部６２０は、受信機アプリケーション処理部６１７からＡＰＩで制御可能である。起動画面を立ち上げているときまたは蓄積コンテンツ再生時に、デジタル放送受信処理部６１１の受信データをリアルタイム蓄積処理部６１４に蓄積し、蓄積された受信データの中から、情報ファイル８１９で指定されている所定の蓄積ファイル更新状態を監視する。ファイル更新時はＡＰＩ制御によりトリガーを取得可能で、受信機アプリケーション処理部６１７はこのトリガーを取得することにより、蓄積されている情報ファイル８１９により蓄積コンテンツ再生処理部６１３で再生処理している蓄積コンテンツ映像と最新情報を同時に表示させる多重処理を行い、画面切替処理部６１９で蓄積コンテンツ再生映像のみの画面と蓄積コンテンツに最新情報を多重した画面との画面切替を行う機能を備えている。また、デジタル放送受信装置６００の機能ブロックのうち一部を別装置とし、別装置とデジタル放送受信装置６００と連携させる場合も同様の動作が可能である。
【００５７】
以上のように構成されたデジタル放送受信装置６００について、図１４から１７を用いてその動作を説明する。
【００５８】
蓄積コンテンツを再生する場合、受信機アプリケーション処理部６１７から視聴者に起動画面を提示しそこから視聴者操作で蓄積コンテンツを再生させるため、受信機アプリケーション処理部６１７で読み込むための起動情報ファイル８２０（図１７参照）が必要になるが、起動情報ファイル８２０を（１）蓄積処理部６１６から取得する場合と（２）データ分離処理部６１２から取得する場合の２通りについて説明する。
【００５９】
まず、コンテンツを蓄積予約して蓄積させるときの放送局側とデジタル放送受信装置側の運用については、図７および図８を用いた説明と全く同じである。
【００６０】
次に、コンテンツ蓄積後にコンテンツを再生する場合の放送局側とデジタル放送受信装置側の運用について説明する。
【００６１】
まず、図１７は本発明の第３の実施形態におけるデジタル放送受信装置６００で使用するデータ構成である。蓄積ファイルパスリスト情報８００、蓄積コンテンツ管理情報８１０、制御情報ファイル８３０および蓄積コンテンツ情報８５０は、第２の実施形態の蓄積ファイルパスリスト情報５００、蓄積コンテンツ管理情報５１０、制御情報ファイル５３０および蓄積コンテンツ情報５５０と同じであり、異なる情報は起動情報ファイル８２０である。第２の実施形態の起動情報ファイル５２０と異なる項目は「ファイル監視スクリプト」８２２である。その他の同名項目は起動情報ファイル５２０と同じである。
【００６２】
次に、図１４は本発明の第３の実施形態における起動情報ファイル８２０をデジタル放送受信装置６００に蓄積した場合のコンテンツ蓄積後のデジタル放送受信装置６００の動作フロー図である。（１）蓄積処理部６１６から起動情報ファイル８２０を取得する場合、放送局側は図１４（ａ）において「最新情報送出処理」ステップＳ７４１により制御情報ファイル８３０や制御情報ファイル８３０を使用して画面表示するために必要な最新情報ファイルを送出する。
【００６３】
また、図１６は本発明の第３の実施形態における最新情報の送受信に関するデジタル放送受信装置６００の動作フロー図である。「最新情報送出処理」ステップＳ７４１の処理内容は図１６（ａ）の通りであり、「最新情報表示タイミングで最新情報ファイル送出」ステップＳ７８１で、最新情報ファイル（制御情報ファイル８３０や制御情報ファイル８３０を使用して画面表示するために必要な文字情報ファイル、画像ファイル、映像ファイル、音声ファイルなど）を最新情報を表示させたいタイミングで送出する。最新情報が複数ある場合はその回数分処理を繰り返す。
【００６４】
デジタル放送受信装置６００側の処理は図１４（ｂ）の通りであるが、図９（ｂ）とほぼ同じであり、異なる処理ブロックは「蓄積処理部の制御情報ファイルより指定パスのファイル更新状況の監視を開始」ステップＳ７６３、「最新情報受信処理」ステップＳ７６６である。その他の処理ブロックは図９（ｂ）の同名の処理ブロックであるステップＳ４６１、ステップＳ４６２、ステップＳ４６４およびステップＳ４６５に同じである。
【００６５】
図９（ｂ）と異なる機能ブロックである「蓄積処理部の制御情報ファイルより指定パスのファイル更新状況の監視を開始」ステップＳ７６３では、起動情報ファイル８２０の「ファイル監視スクリプト」８２２により、ＡＰＩ制御でスクリプトで指定されたファイルパスの情報ファイル８１９を監視する。
【００６６】
「最新情報受信処理」ステップＳ７６６は図１６（ｂ）の通りである。「最新情報受信」ステップＳ７９１では最新情報ファイル（制御情報ファイル８３０や制御情報ファイル８３０を使用して画面表示するために必要な文字情報ファイル、画像ファイル、映像ファイル、音声ファイルなど）を取得してリアルタイム蓄積処理部６１４に蓄積する。「最新情報ファイル更新」ステップＳ７９２では蓄積更新監視処理部６２０からＡＰＩにより指定ファイルが更新されたタイミングで更新イベントを取得する。
【００６７】
「最新情報を蓄積再生コンテンツ画面上に表示」ステップＳ７９３では、起動情報ファイル８２０の「表示動作スクリプト」８２６でＡＰＩ制御により制御情報ファイル８３０に記載されている内容からファイルパス８３３から８３５に記述されたデータを利用して、蓄積コンテンツ再生画面に最新情報を付加した映像を作成し、起動情報ファイル８２０の「画面切替スクリプト」８２８で画面切替処理部６１９を制御して画面切替する。最新情報の表示は、制御情報ファイル８３０の制御方法８３１や「文字・画像の表示位置（始点・終点座標）」８３２を使い、図２から図５に示す第１から第４の画面表示例のような画面表示制御を行う。
【００６８】
ステップＳ７９１からステップＳ７９３は最新情報を連続して受信する度に繰り返し処理を行う。「最新情報を蓄積再生コンテンツ画面上から消去」ステップＳ７９４では、起動情報ファイル８２０の「非表示動作スクリプト」８２７により、最新情報を表示完了後または一定時間経過後、もとの最新情報を表示していない蓄積コンテンツ再生映像に画面切替を行う。
【００６９】
また、図１５は本発明の第３の実施形態における起動情報ファイル８２０をデジタル放送受信装置６００に蓄積しなかった場合のコンテンツ蓄積後のデジタル放送受信装置６００の動作フロー図である。（２）データ分離処理部６１２から起動情報ファイル８２０を取得する場合、デジタル放送受信装置６００は起動情報ファイル８２０を蓄積していないため、起動情報ファイル８２０はリアルタイム放送から取得する。放送局側は図１５（ａ）において「起動情報ファイル送出」ステップＳ７５１で起動情報ファイル８２０を送出してから、「最新情報送出処理」ステップＳ７５２で「最新情報送出処理」ステップＳ７４１と同様の処理を行うことで実施可能である。
【００７０】
デジタル放送受信装置６００側の処理は図１５（ｂ）のようになっており、「受信チャンネルの起動情報ファイルより受信機アプリケーション起動」ステップＳ７７１では視聴者が現在受信しているチャンネルからデータ分離処理部６１２で取得した起動情報ファイル８２０を利用しアプリケーション処理部６１７で起動画面を視聴者に提示する。起動情報ファイル８２０の内容のうち「リアルタイム情報受信チャンネル指定スクリプト」８２１は既に選局されているため不要であるが、その他の起動情報ファイル８２０の内容のスクリプト８２２から８２８は必要である。
【００７１】
「受信チャンネルの制御情報ファイルより指定されたパスのファイル更新状況の監視を開始」ステップＳ７７２は、起動情報ファイル８２０の「ファイル監視スクリプト」８２２により、ＡＰＩ制御にてスクリプトで指定されたファイルパスの情報ファイル８１９を監視する。以降ステップＳ７７３からステップＳ７７５の処理については、ステップＳ７６４からステップＳ７６６の同名の処理ブロックと同様に処理される。
【００７２】
以上のように本発明の第３の実施形態のデジタル放送受信装置６００によれば、さらに蓄積更新監視処理部６２０と蓄積更新監視処理部６２０を制御するＡＰＩにより指定されたファイルの更新状態を監視する機能を備えることにより、指定された最新情報ファイルが更新されたタイミングで、蓄積コンテンツ再生映像に最新情報を付加した映像に画面切替することで、放送局が見せたいタイミングおよび期間に最新情報を視聴者に提示することができる。
（第４の実施形態）
【００７３】
次に、本発明の第４の実施形態のデジタル放送受信装置について説明する。
第４の実施形態は第２の実施形態のデジタル放送受信装置３００または第３の実施形態のデジタル放送受信装置６００と構成が同じであり、どちらのデジタル放送受信装置も放送局が見せたいタイミングおよび期間に最新情報を視聴者に提示することができる。
【００７４】
制御情報ファイル５３０の「表示する文字情報または文字情報ファイルパス」５３３（図１２参照）または制御情報ファイル８３０の「表示する文字情報または文字情報ファイルパス」８３３（図１７参照）のいずれかを使い、デジタル放送受信装置３００または６００で説明したトリガー取得タイミング（トリガー情報５４０取得タイミングおよびファイル更新時のトリガー取得）で、リアルタイム放送で実施されている字幕スーパーと同様に、蓄積コンテンツ再生時にも蓄積コンテンツ再生映像に字幕スーパーを付加し、蓄積コンテンツ再生映像のみの画面と切替を行う。蓄積コンテンツ再生時は、蓄積時に映像と同時に蓄積される字幕スーパーが表示される可能性があるため、視聴者が混同しないように表示することが必要である。
【００７５】
以上のように本発明の第４の実施形態のデジタル放送受信装置によれば、第２の実施形態のデジタル放送受信装置３００または第３の実施形態のデジタル放送受信装置６００と同様の構成を備えることにより、蓄積コンテンツ再生時にもリアルタイムの字幕スーパーを表示した画面に切替えることができる。
（第５の実施形態）
【００７６】
次に、本発明の第５の実施形態のデジタル放送受信装置について説明する。
第５の実施形態のデジタル放送受信装置は第２の実施形態のデジタル放送受信装置３００または第３の実施形態のデジタル放送受信装置６００と構造が同であり、どちらのデジタル放送受信装置も放送局が見せたいタイミングおよび期間に最新情報を視聴者に提示することができる。
【００７７】
制御情報ファイル５３０のファイルパス５３３から５３５（図１２参照）または制御情報ファイル８３０のファイルパス８３３から８３５（図１７参照）にあるデータを利用して、蓄積コンテンツ再生時に、デジタル放送受信装置３００または６００で説明したトリガー取得タイミング（トリガー情報５４０取得タイミングおよびファイル更新時のトリガー取得）で、これらの最新情報を蓄積コンテンツ再生映像に付加して表示した画面と画面切替を行う。画面切替はデジタル放送受信装置３００または６００で説明した方法で、視聴者操作による切替または自動切替で行う。
【００７８】
これにより、広告や番組宣伝、緊急情報などの最新情報などを、放送事業者が表示させたいタイミングで、最新状態に更新されたコンテンツファイルの再生映像へ画面切替を行うことができる。さらに、制御情報ファイル５３０（図１２参照）または制御情報ファイル８３０（図１７参照）に「受信映像情報」としてチャンネルやＥＳを記述することにより、前述と同様の方法で、蓄積コンテンツ再生映像にリアルタイム放送の映像を付加した画面に画面切替を行う制御も可能である。
【００７９】
以上のように、本発明の第５の実施形態のデジタル放送受信装置によれば、第２の実施形態のデジタル受信装置３００または第３の実施形態のデジタル放送受信装置６００と同様の構成を備えることにより、蓄積コンテンツ再生時にも広告や番組宣伝、緊急情報などの最新情報などを表示した画面に切替えることができる。さらに、制御情報ファイル５３０（図１２参照）または制御情報ファイル８３０（図１７参照）に「受信映像情報」を記述することにより、リアルタイムの放送を表示した画面に切替えることも可能である。
（第６の実施形態）
【００８０】
次に、本発明の第６の実施形態のデジタル放送受信装置について説明する。
図１８は本発明の第６に実施形態におけるデジタル放送受信装置９００のブロック図である。デジタル放送受信装置９００は、第２の実施形態の蓄積コンテンツ再生処理部３１３または第３の実施形態の蓄積コンテンツ再生処理部６１３に、再生位置保持処理部９２１を追加した構成である。再生位置保持処理部９２１は、ＡＰＩ制御により蓄積コンテンツの再生映像を途中停止した場合、その位置情報を保持し、再生再開するとき、蓄積コンテンツ再生処理部９１３と連携して停止した位置から蓄積コンテンツの再生を再開する機能を備えている。
【００８１】
その他の機能はデジタル放送受信装置３００または６００の同名の機能ブロックと同じである。また、画面表示装置９３０は画面表示装置３２０または６３０と同じである。図１８のブロック図は第３の実施形態をもとにした場合のデジタル放送受信装置９００を示している。
【００８２】
以上のように構成されたデジタル放送受信装置９００について、図１９を用いてその動作を説明する。
【００８３】
図１９は本発明の第６の実施形態における最新情報受信時のデジタル放送受信装置９００の動作フロー図である。第６の実施形態のデジタル放送受信装置９００の処理は、第２の実施形態のデジタル放送受信装置３００の動作フロー図７から１１のうち図１１（ｂ）デジタル放送受信装置３００側の処理と異なる。第６の実施形態では、図１９（ａ）の処理に示す通りとなっている。
【００８４】
図１９（ａ）が図１１（ｂ）と異なる動作フローは、ステップＳ１００３およびステップＳ１００７であり、その他のステップは図１１（ｂ）の同名のステップと同じである。「蓄積コンテンツ再生を停止し停止位置を保存」ステップＳ１００３は、起動情報ファイル５２０の「表示動作スクリプト」５２６からＡＰＩ制御により、蓄積コンテンツ処理部９１３が蓄積コンテンツを停止し停止位置を保存する。「保存した停止位置から蓄積コンテンツ再生を再開」ステップＳ１００７では、起動情報ファイル５２０の「非表示動作スクリプト」５２７よりＡＰＩ制御により、蓄積コンテンツ処理部９１３で保存した停止位置から蓄積コンテンツ再生を再開する。
【００８５】
また、第３の実施形態のデジタル放送受信装置６００の動作フロー図１４から１６のうち、図１６(ｂ)デジタル放送受信装置６００側の処理が第６の実施形態のデジタル受信装置９００の処理とは異なる。第６の実施形態では、図１９（ｂ）の処理に示すとおりとなっている。図１９（ｂ）が図１６（ｂ）と異なる動作フローは、ステップＳ１０１３およびステップＳ１０１６であり、この２ステップはステップＳ１００３およびステップＳ１００７と同様に動作する。その他のステップは図１６（ｂ）の同名のステップと同じである。
【００８６】
以上のように本発明の第６の実施形態のデジタル放送受信装置９００によれば、第２の実施形態のデジタル受信装置３００または第３の実施形態のデジタル放送受信装置６００に再生位置保持処理部９２１を追加した構成を備えることにより、最新情報表示で画面切替を行い蓄積コンテンツ再生停止した場合でも、停止した位置から蓄積コンテンツの再生を再開できる。
【産業上の利用可能性】
【００８７】
以上のように、本発明にかかるデジタル放送受信装置は、蓄積コンテンツ再生中に、リアルタイム放送から受信したトリガーと最新情報を利用して、リアルタイムに最新情報情報を表示する画面に画面切替するという効果を有し、蓄積媒体に蓄積されたコンテンツファイルの再生表示機能を有したデジタル放送受信装置等として有用であり、録画機器や映像再生装置などで蓄積されたコンテンツを再生する場合や、将来実施予定のサーバ型放送で蓄積したコンテンツを再生する場合など、過去の情報を閲覧するときに適用できる。
【図面の簡単な説明】
【００８８】
【図１】本発明の第１の実施形態におけるデジタル放送受信装置のブロック図
【図２】本発明の第１の実施形態におけるデジタル放送受信装置の第１の画面表示例
【図３】本発明の第１の実施形態におけるデジタル放送受信装置の第２の画面表示例
【図４】本発明の第１の実施形態におけるデジタル放送受信装置の第３の画面表示例
【図５】本発明の第１の実施形態におけるデジタル放送受信装置の第４の画面表示例
【図６】本発明の第２の実施形態におけるデジタル放送受信装置のブロック図
【図７】本発明の第２の実施形態におけるデジタル放送受信装置の動作フロー図（起動情報ファイルをデジタル放送受信装置に蓄積する場合）、（ａ）放送局側の処理、（ｂ）デジタル放送受信装置側の処理
【図８】本発明の第２の実施形態におけるコンテンツ蓄積時のデジタル放送受信装置の動作フロー図（起動情報ファイルをデジタル放送受信装置に蓄積しない場合）、（ａ）放送局側の処理、（ｂ）デジタル放送受信装置側の処理
【図９】本発明の第２の実施形態におけるコンテンツ蓄積後のデジタル放送受信装置の動作フロー図（起動情報ファイルをデジタル放送受信装置に蓄積した場合）、（ａ）放送局側の処理、（ｂ）デジタル放送受信装置側の処理
【図１０】本発明の第２の実施形態におけるコンテンツ蓄積後のデジタル放送受信装置の動作フロー図（起動情報ファイルをデジタル放送受信装置に蓄積しなかった場合）、（ａ）放送局側の処理、（ｂ）デジタル放送受信装置側の処理
【図１１】本発明の第２の実施形態における最新情報の送受信に関するデジタル放送受信装置の動作フロー図、（ａ）放送局側の最新情報送出処理、（ｂ）デジタル放送受信装置側の最新情報受信処理
【図１２】本発明の第２の実施形態におけるデジタル放送受信装置で使用するデータ構成
【図１３】本発明の第３の実施形態におけるデジタル放送受信装置のブロック図
【図１４】本発明の第３の実施形態におけるコンテンツ蓄積後のデジタル放送受信装置の動作フロー図（起動情報ファイルをデジタル放送受信装置に蓄積した場合）、（ａ）放送局側の処理、（ｂ）デジタル放送受信装置側の処理
【図１５】本発明の第３の実施形態におけるコンテンツ蓄積後のデジタル放送受信装置の動作フロー図（起動情報ファイルをデジタル放送受信装置に蓄積しなかった場合）、（ａ）放送局側の処理、（ｂ）デジタル放送受信装置側の処理
【図１６】本発明の第３の実施形態における最新情報に関する処理時のデジタル放送受信装置の動作フロー図、（ａ）放送局側の最新情報送出処理、（ｂ）デジタル放送受信装置側の最新情報受信処理
【図１７】本発明の第３の実施形態におけるデジタル放送受信装置で使用するデータ構成
【図１８】本発明の第６の実施形態におけるデジタル放送受信装置のブロック図
【図１９】本発明の第６の実施形態における最新情報の受信に関するデジタル放送受信装置の動作フロー図、（ａ）本発明の第２の実施形態をもとにしたデジタル放送受信装置側の最新情報受信処理、（ｂ）本発明の第３の実施形態をもとにしたデジタル放送受信装置側の最新情報受信処理
【図２０】従来のデジタル放送受信装置のブロック図
【符号の説明】
【００８９】
１００  デジタル放送受信装置
１１１  デジタル放送受信処理部
１１２  データ分離処理部
１１３  蓄積コンテンツ再生処理部
１１４  蓄積処理部
１１５  映像多重処理部
１２０  画面表示装置
３００  デジタル放送受信装置
３１１  デジタル放送受信処理部
３１２  データ分離処理部
３１３  蓄積コンテンツ再生処理部
３１４  リアルタイム蓄積処理部
３１５  非リアルタイム蓄積処理部
３１６  蓄積処理部
３１７  受信機アプリケーション処理部
３１８  映像多重処理部
３１９  画面切替処理部
３２０  画面表示装置
６００  デジタル放送受信装置
６１１  デジタル放送受信処理部
６１２  データ分離処理部
６１３  蓄積コンテンツ再生処理部
６１４  リアルタイム蓄積処理部
６１５  非リアルタイム蓄積処理部
６１６  蓄積処理部
６１７  受信機アプリケーション処理部
６１８  映像多重処理部
６１９  画面切替処理部
６２０  蓄積更新監視処理部
６３０  画面表示装置
９００  デジタル放送受信装置
９１１  デジタル放送受信処理部
９１２  データ分離処理部
９１３  蓄積コンテンツ再生処理部
９１４  リアルタイム蓄積処理部
９１５  非リアルタイム蓄積処理部
９１６  蓄積処理部
９１７  受信機アプリケーション処理部
９１８  映像多重処理部
９１９  画面切替処理部
９２０  蓄積更新監視処理部
９２１  再生位置保持処理部
９３０  画面表示装置
１１００  従来のデジタル放送受信装置
１１１０  デジタル放送受信処理部
１１１１  蓄積コンテンツ再生処理部
１１１２  蓄積処理部
１１１３  映像多重処理部
１１２０  画面表示装置
１１２１  第１画面
１１２２  第２画面
【図１】
2006311120.tif 000003
【図２】
2006311120.tif 000004
【図３】
2006311120.tif 000005
【図４】
2006311120.tif 000006
【図５】
2006311120.tif 000007
【図６】
2006311120.tif 000008
【図７】
2006311120.tif 000009
【図８】
2006311120.tif 000010
【図９】
2006311120.tif 000011
【図１０】
2006311120.tif 000012
【図１１】
2006311120.tif 000013
【図１２】
2006311120.tif 000014
【図１３】
2006311120.tif 000015
【図１４】
2006311120.tif 000016
【図１５】
2006311120.tif 000017
【図１６】
2006311120.tif 000018
【図１７】
2006311120.tif 000019
【図１８】
2006311120.tif 000020
【図１９】
2006311120.tif 000021
【図２０】
2006311120.tif 000022